(57)【特許請求の範囲】
【請求項１】
２枚の枚葉紙を同期して平行に給紙する給紙機と、この給紙機から給紙される第１・第２の枚葉紙をそれぞれの内側端部を重複させて糊で接着して、２枚幅の枚葉紙として下流側の枚葉紙加工装置へ給紙する貼り合わせ搬送装置とからなる枚葉紙給紙装置において、
上記貼り合わせ搬送装置は、
上記給紙機より給紙される第１・第２の枚葉紙を搬送する第１・第２の搬送路を有しており、
貼り合わせ搬送装置の一方の搬送路の上流側に、上記一方の搬送路にて搬送される枚葉紙の内側端部に糊を塗布する糊塗布装置を、また貼り合わせ搬送装置の下流端に上記両搬送路にて搬送される両枚葉紙の先端に突き当たって位置決めするよう出没可能にしたストッパをそれぞれ設け、
貼り合わせ搬送装置の一方の搬送路を、これの下流側が他方の搬送路の中流部に近づく方向に傾斜して配置させると共に、この傾斜した部分より下流側を他方の搬送路と平行にし、さらにこの一方の搬送路の傾斜部の下流側に、この一方の搬送路にて他方の搬送路側へ傾斜して搬送される枚葉紙の内側端部が、他方の搬送路にて搬送される枚葉紙の内側端部と糊代部が重複する位置で当接して他方の搬送路と平行に搬送させるガイド板を設け、
また他方の搬送路に、この他方の搬送路にて搬送される枚葉紙の内側端部を、これの搬送される間に上記一方の搬送路側に設けたガイド板より上流側にて跳ね上げる跳ね上げ機と、この跳ね上げ機より外側に位置して上記跳ね上げ機にて跳ね上げられる枚葉紙を押さえる押さえ部材と、跳ね上げ機にて跳ね上げられた枚葉紙の側端部を跳ね上げ状態で保持する跳ね上げ保持機と、跳ね上げ保持機にて保持されると共に、上記ストッパに当接して位置決めされた枚葉紙の側端部を一方の搬送路の下流側に他方の搬送路と平行になって搬送される枚葉紙の側端部側へ移動するコロにて展圧してこの部分を仮付けする糊代部展圧機とを設け、
さらに貼り合わせ搬送装置の上記ストッパより下流側にて両枚葉紙の重複部を押圧するプレスローラ装置を設けた
ことを特徴とする枚葉紙給紙装置。
【請求項２】
貼り合わせ搬送装置の下流側に、この貼り合わせ搬送装置からの枚葉紙を逆ラップ状に搬送する逆ラップ搬送装置を設けたことを特徴とする請求項１記載の枚葉紙給紙装置。
【発明の詳細な説明】
【技術分野】
【０００１】
本発明は、１枚ずつ給紙される枚葉紙にて順次紙袋を製造する製袋機等の枚葉紙加工装置に枚葉紙を給紙する枚葉紙給紙装置に関するものである。
【背景技術】
【０００２】
上記枚葉紙供給装置にあっては、上記したように１枚１枚の用紙を順次給紙するようになっているが、これに規格外の大きな幅、例えば２枚幅の枚葉紙を供給する場合、これの給紙に先行して２枚の枚葉紙を幅方向に貼り合わせたものが用いられている。
【発明の開示】
【発明が解決しようとする課題】
【０００３】
このように２枚幅の枚葉紙を給紙しようとする場合、これの給紙に先行して２枚の枚葉紙を貼り合わせなければならないが、この２枚の枚葉紙の貼り合わせを従来は手作業で行っていたり、特別な駆動機構にて作動する貼り合わせ装置にて行っており、給紙のための作業工程が繁雑になると共に、枚葉紙給紙装置の構成が複雑になるという問題があった。
【０００４】
本発明は上記のことにかんがみなされたもので、給紙機から平行に給紙される２枚の枚葉紙を、この両枚葉紙の搬送動作を利用して、この搬送動作に従って２枚の枚葉紙のそれぞれの内側端部を重ね合わせて貼り合わせることができ、両枚葉紙の貼り合わせを手作業によることなく、また特別の駆動機構を用いることなく、２枚の枚葉紙を貼り合わせてなる幅の広い枚葉紙を枚葉紙加工装置へスムーズに給紙できるようにした枚葉紙給紙装置を提供しようとすることを目的とするものである。
【課題を解決するための手段】
【０００５】
上記目的を達成するために、本願に係る枚葉紙給紙装置は、２枚の枚葉紙を同期して平行に給紙する給紙機と、この給紙機から給紙される第１・第２の枚葉紙をそれぞれの内側端部を重複させて糊で接着して、２枚幅の枚葉紙として下流側の枚葉紙加工装置へ給紙する貼り合わせ搬送装置とからなる枚葉紙給紙装置において、上記貼り合わせ搬送装置は、上記給紙機より給紙される第１・第２の枚葉紙を搬送する第１・第２の搬送路を有しており、貼り合わせ搬送装置の一方の搬送路の上流側に、上記一方の搬送路にて搬送される枚葉紙の内側端部に糊を塗布する糊塗布装置を、また貼り合わせ搬送装置の下流端に上記両搬送路にて搬送される両枚葉紙の先端に突き当たって位置決めするよう出没可能にしたストッパをそれぞれ設け、貼り合わせ搬送装置の一方の搬送路を、これの下流側が他方の搬送路の中流部に近づく方向に傾斜して配置させると共に、この傾斜した部分より下流側を他方の搬送路と平行にし、さらにこの一方の搬送路の傾斜部の下流側に、この一方の搬送路にて他方の搬送路側へ傾斜して搬送される枚葉紙の内側端部が、他方の搬送路にて搬送される枚葉紙の内側端部と糊代部が重複する位置で当接して他方の搬送路と平行に搬送させるガイド板を設け、また他方の搬送路に、この他方の搬送路にて搬送される枚葉紙の内側端部を、これの搬送される間に上記一方の搬送路側に設けたガイド板より上流側にて跳ね上げる跳ね上げ機と、この跳ね上げ機より外側に位置して上記跳ね上げ機にて跳ね上げられる枚葉紙を押さえる押さえ部材と、跳ね上げ機にて跳ね上げられた枚葉紙の側端部を跳ね上げ状態で保持する跳ね上げ保持機と、跳ね上げ保持機にて保持されると共に、上記ストッパに当接して位置決めされた枚葉紙の側端部を一方の搬送路の下流側に他方の搬送路と平行になって搬送される枚葉紙の側端部側へ移動するコロにて展圧してこの部分を仮付けする糊代部展圧機とを設け、さらに貼り合わせ搬送装置の上記ストッパより下流側にて両枚葉紙の重複部を押圧するプレスローラ装置を設けた構成になっている。
【０００６】
そして、上記した枚葉紙給紙装置において、貼り合わせ搬送装置の下流側に、この貼り合わせ搬送装置からの枚葉紙を逆ラップ状に搬送する逆ラップ搬送装置を設けた。
【発明の効果】
【０００７】
本発明によれば、給紙機から平行に給紙される２枚の枚葉紙を、この両枚葉紙の搬送動作を利用して、この搬送動作に従って２枚の枚葉紙のそれぞれの内側端部を重なり合わせて貼り合わせることができ、両枚葉紙の貼り合わせを手作業によることなく、また特別の駆動機構を用いることなく、２枚の枚葉紙を貼り合わせてなる幅の広い枚葉紙を枚葉紙加工装置へスムーズに給紙することができる。
【０００８】
そして特に、請求項１に係る発明では、幅寄せされた枚葉紙の内側端部に対して、貼り付けようとする上側の枚葉紙の内側端部がこれの搬送される間に跳ね上げ部材にて跳ね上げることにより、この部分の跳ね上げ動作を可動機構を用いることなく行うことができる。
【０００９】
そしてさらに、請求項２に係る発明では、枚葉紙給紙装置の下流側に、逆ラップ搬送装置を設けたことにより、2枚幅に張り合わせた枚葉紙を枚葉紙給紙装置の下流側において下流側の枚葉紙加工装置へ逆ラップ状に給紙することができる。
【発明を実施するための最良の形態】
【００１０】
本発明に係る枚葉紙給紙装置は、２枚の枚葉紙を両者の間に隙間をあけて平行に給紙する給紙機と、この給紙機から給紙される２枚の枚葉紙を幅方向に貼り合わせて２枚幅の枚葉紙として枚葉紙加工装置へ給紙する貼り合わせ搬送装置とからなっている。
【００１１】
そして上記貼り合わせ搬送装置は、給紙機から給紙される各枚葉紙のそれぞれを搬送する第１・第２の搬送路を有しており、一方の搬送路はこの搬送路を搬送される間に枚葉紙を他方の搬送路側へ幅寄せするようにした機構を有し、他方の搬送路はこの搬送路を搬送される間に、この枚葉紙の内側端部を一方の枚葉紙の内側端部に対して徐々に高さを変えるようにした機構とを備えている。
【００１２】
また上記貼り合わせ搬送装置の上流部に、この搬送装置で搬送される間に低くなる方の枚葉紙の内側端部（糊代）に糊を塗布する糊塗布装置が設けてある。そしてこの貼り合わせ搬送装置の下流側に、この装置の幅寄せ機構と高さ変え機構にて重ね合わされ、かつ上記糊塗布装置にて糊が塗布された部分を押圧するプレスローラ装置が設けてある。
【００１３】
図１、図２は本発明の参考例を示すもので、図中１は給紙機、２はこの給紙機１と図示しない枚葉紙加工機、例えば製袋機との間に配置される貼り合わせ搬送装置である。
【００１４】
給紙機１はダブルフィード方式の公知の装置であり、２枚の枚葉紙３ａ，３ｂを両者の間に隙間をあけて平行にそれぞれ１枚ずつ貼り合わせ搬送装置２へ給紙するようになっている。なお、この給紙機１の下流側端部に第１ストッパ４が出没可能に設けてあり、給紙機１から給紙される両枚葉紙３ａ，３ｂの先端が、この第１ストッパ４に突き当たることにより揃えられるようになっている。この第１ストッパは公知機構のもので、カム作動あるいはシリンダ作動等により、上記給紙機１の給紙動作に同期して出没動作するようになっている。
【００１５】
貼り合わせ搬送装置２は、上記給紙機１より給紙される第１・第２の枚葉紙３ａ，３ｂを搬送するよう平行に配置される第１・第２の搬送路５，６からなっており、この両搬送路５，６が同期動作することにより上記給紙機１から給紙された２枚の枚葉紙３ａ，３ｂを同期搬送するようになっている。
【００１６】
そして貼り合わせ搬送装置２の一方（ＯＳ側）の第１の搬送路５に、この第１の搬送路５を搬送される枚葉紙３ａの糊代部の位置を高さ方向に変える高さ変え機構が備えてある。すなわち、この第１の搬送路５の上流側から順に第１水平送り部５ａ、わずかに下方へ傾斜する下降送り部５ｂ、この下降送り部５ｂから水平になっている第２水平送り部５ｃ、この第２水平送り部５ｃから上方へ傾斜する上昇送り部５ｄ、この上昇送り部５ｄから水平に設けられる第３水平送り部５ｅからなっている。そしてこれの第１と第３の水平送り部５ａ，５ｅが同一の水平面状になっていて、中流部の下降送り部５ｂ、第２水平送り部５ｃ、上昇送り部５ｄにて高さ変え機構が構成され、ここを通る間に枚葉紙３ａの搬送高さが、他方の搬送路６を搬送される枚葉紙３ｂの高さより低くなるように高さが変えられるようになっている。各送り部５ａ〜５ｄのそれぞれは、駆動可能にした複数本の搬送ベルト７にて構成されている。
【００１７】
上記第３の水平送り部５ｅの幅方向内側端に、この位置における第１の枚葉紙３ａの幅方向の位置を設定するガイド板８が設けてある。なお、上記第１・第２・第３の水平送り部５ａ，５ｃ，５ｅの「水平」という語句は、貼り合わせ搬送装置２の送り方向と同一面の意味であり、貼り合わせ搬送装置２が、例えば下流側が低くなるように傾斜される場合には、この各送り部５ａ，５ｃ，５ｅの送り面はこれと平行に傾斜されるものである。なお、この第１の搬送路５において、上記各搬送ベルト７の上側に送りコロ７ａが接触されている。
【００１８】
貼り合わせ搬送装置２の他方（ＧＳ側）の第２の搬送路６の搬送面は、これの始端から終端にわたって同一面状になっていると共に、これの始端と終端は上記第１の搬送路５の始端と終端と同一面状になっている。そしてこの第２の搬送路６に、この第２の搬送路６を搬送される枚葉紙３ｂを、これの搬送動作に従って一方の搬送路５側へ、両枚葉紙３ａ，３ｂを貼り合わせるための糊代分だけ幅寄せする幅寄せ機構が設けられている。
【００１９】
すなわち、第２の搬送路６の上流側部において、上流側から下流側にわたって平行に設けられる複数の搬送ベルト９，９は、下流側が第１の搬送路５に近づくように傾斜させて配置されていて、この第２の搬送路６を搬送される枚葉紙３ｂは、これの下流部において上記搬送ベルト９の傾斜に従って第１の搬送路５側へ幅寄せされるようになっている。
【００２０】
上記傾斜された搬送ベルト９のうちの１本の搬送ベルト９の上側に押さえ案内機１０が、この搬送ベルト９と平行に図示しない支持機構に支持されて設けてある。この押さえ案内機１０は、棒状の機枠１１の全長にわたって多数の球１２を回転自在に、かつ一部を下側に露出させて上記搬送ベルト９に接触するようになっている。
【００２１】
第２の搬送路６の幅寄せ機構部の下流側は、上記第１搬送路５の下降送り部５ｂから第２水平送り部５ｃに至る部分、すなわち第１の枚葉紙３ａが低くなる部分に対応している。そしてこの部分の側端に、幅寄せされた枚葉紙３ｂ側端が当接して、これより下流側において第１の搬送路５と平行に案内されるようにしたガイド板１４が設けてある。
【００２２】
上記第２の搬送路６の幅寄せ機構部分より下流側は、第１の搬送方向と平行に設けられた他の搬送ベルトにより枚葉紙３ｂを第１の搬送路６と平行に搬送する搬送路となっている。
【００２３】
貼り合わせ搬送装置２の下流端には、両搬送路５，６にて搬送される両枚葉紙３ａ，３ｂの先端が突き当たる第２ストッパ１５が出没可能に設けてある。
【００２４】
貼り合わせ搬送装置２の上流部に、第１の枚葉紙３ａの糊代部である内側端部に糊を塗布する糊塗布装置１６が設けてある。また、貼り合わせ搬送装置２より下流側に、下流側の図示しない枚葉紙加工装置への送給をするための中間搬送路１７があり、この部分に上記糊代部に対向するプレスローラ装置１８が設けてある。
【００２５】
この参考例における作用を以下に説明する。
【００２６】
第１・第２の枚葉紙３ａ，３ｂは、給紙機１からそれぞれ１枚ずつ同時に貼り合わせ搬送装置２へ向けて給紙される。このとき、第１ストッパ４が作動して各枚葉紙３ａ，３ｂは、先端が揃えられてから平行に給紙される。
【００２７】
そして手前側の第１の枚葉紙３ａは、貼り合わせ搬送装置２の第１の搬送路５にて、また奥側の第２の枚葉紙３ｂは、貼り合わせ搬送装置２の第２の搬送路６にて、それぞれこの貼り合わせ搬送装置２の終端部に設けられた第２ストッパ１５に先端が突き当たるまで搬送される。
【００２８】
このとき、第１の搬送路５を搬送される第１の枚葉紙３ａは、この第１の搬送路５の各送り部５ａ〜５ｅにて平行に搬送されて、これの第２水平送り部５ｃにおいて第１・第３の水平部５ａ，５ｅより低くなり、従って第２の搬送路６の搬送面より低くなる。
【００２９】
この第１の搬送路５を搬送される第１の枚葉紙３ａは、この第１の搬送路５の上流部に設けられた糊塗布装置１６にて、これの内側縁である糊代部に糊１６ａが線状に塗布される。
【００３０】
一方、第２の搬送路６を搬送される第２の枚葉紙３ｂは、この第２の搬送路６を搬送される間に、幅寄せ機構により第１の搬送路５側へガイド板１４に当接するまで幅寄せされ、その後はこのガイド板１４に沿って搬送され、第２ストッパ１５に先端が当接して停止される。
【００３１】
このときにおいて両搬送路５，６は同期動作し、両枚葉紙３ａ，３ｂは略同一速度で搬送され、それぞれが第２ストッパ１５に当接して略同時に搬送方向の位置決めがなされる。
【００３２】
そしてこの両搬送路５，６にて両枚葉紙３ａ，３ｂが搬送される間において、第２の搬送路６の幅寄せ機構の下流部が第１の搬送路５の第２の水平送り部５ｃ、すなわち第２の搬送路６の搬送面より低くなっている部分に対応していることより、幅寄せ機構にて内側へ幅寄せされた第２の枚葉紙３ｂの内側端部は、第１の搬送路５を搬送されている第１の枚葉紙３ａの内側端部で、糊代分の上方に離隔して重複状態となる。
【００３３】
この状態で両枚葉紙３ａ，３ｂは両搬送路５，６で平行に搬送されるが、第１の枚葉紙３ａは第１の搬送路５の上昇送り部５ｄにて送られることにより、第２の搬送路６の搬送面まで上昇され、この第３の水平送り部５ｅにおいて、それぞれの先端が第２ストッパ１５に当接して送り方向に位置決めされた状態で、両枚葉紙３ａ，３ｂの内側の重複部分が上下方向に間隙なく重なり合わされる。
【００３４】
その後、第２ストッパ１５の没入により両枚葉紙３ａ，３ｂは中間搬送路１７に送り出され、この部分においてプレスローラ装置１８にて上記重複部分が接着されて、２枚幅の枚葉紙３となる。
【００３５】
次に本発明の実施例を図３、図４にて説明する。なおこの説明に置いて、図１、図２に示した参考例の構成と同一部材は同一符号を付して説明する。
【００３６】
給紙機１と中間搬送路１７との間に設けられる貼り合わせ搬送装置２０は、参考例の貼り合わせ搬送装置２と同様に第１・第２の搬送路２１，２２からなっており、この両搬送路２１，２２が同期動作することにより、給紙機１より給紙される第１・第２の枚葉紙３ａ，３ｂを同期搬送するようになっている。
【００３７】
そして貼り合わせ搬送装置２０の一方（ＯＳ側）の第１の搬送路２１の上流部は、この第１の搬送路２１を搬送される枚葉紙３ａを、これの搬送動作に従って他方の搬送路２２側へ、両枚葉紙３ａ，３ｂを貼り合わせるための糊代分だけ幅寄せすることができる構成になっている。
【００３８】
この第１の搬送路２１の上流部は、これの下流側が第２の搬送路２２側へ近づくように傾斜されて設けられた複数本の搬送ベルト９，９と、これの１本の上面に球１２を接触して設けた押さえ案内機１０とからなっている。そしてこの幅寄せ側の側端に、幅寄せ量を設定するガイド板２３が設けてある。このガイド板２３は、断面形状が外側へ向けたひさしを上端に設けた逆Ｌ字状になっていて、幅寄せされた第１の枚葉紙３ａの内側端が上記ひさし部の下側へ入り込むようになっている。
【００３９】
上記第１の搬送路２１の幅寄せ方向に傾斜した部分より下流側は、第２の搬送方向と平行に設けられた他の搬送ベルトにより枚葉紙３ａを第２の搬送路２２と平行に搬送する搬送路となっている。
【００４０】
貼り合わせ搬送装置２０の他方（ＧＳ側）の第２の搬送路２２は搬送ベルト２４，２４にて構成されていて、これに送りコロ２５が転接されている。そしてこれの搬送面は、これの始端から終端にわたって上記第１の搬送路２１と同一平面で同一長さになっている。そしてこの第２の搬送路２２の中流部に、枚葉紙３ｂの内側端縁の高さが高くなるように変える跳ね上げ機２７が設けてある。またこの跳ね上げ機２７の下流側に、この跳ね上げ機２７にて跳ね上げられた上記内側端部の跳ね上げ部を保持する第１の跳ね上げ部保持機２８と、下流部に引き続いて跳ね上げ部を保持する第２の跳ね上げ保持機２８ａと、跳ね上げ保持された枚葉紙３ｂの糊代部を、枚葉紙３ｂの幅方向内側へ展圧する糊代部展圧機２９がそれぞれ設けられている。
【００４１】
上記跳ね上げ機２７は、第２の搬送路２２にて搬送される枚葉紙３ｂの内側端部を、これの搬送動作に従って上側へ跳ね上げるへら部材３０と、このへら部材３０にて跳ね上げられる部分より外側上面を押さえる押さえ部材３１とからなっている。この押さえ部材３１の上流側は上側へ向けて反らせてある。
【００４２】
第１・第２の跳ね上げ部保持機２８，２８ａは、跳ね上げられた跳ね上げ片の両側を搬送方向に案内する２本のガイド３２ａ，３２ｂからなっている。
【００４３】
糊代部展圧機２９は上記第２の跳ね上げ部保持機２８ａより低い位置において、この第２の跳ね上げ部保持機２８ａの下側を外側から内側へ斜め下方へ移動するようになっていて、内側へ移動した状態で、これのコロ３３にて第２の枚葉紙３ｂの内側端部である糊代部を展圧するようになっている。上記コロ３３は、軸３４に間隔を有して複数設けてある。なお、このコロ３３は軸方向に長くしたものを用いてもよい。
【００４４】
上記跳ね上げ機構２７の押さえ部材３１及び第１・第２の跳ね上げ部保持機２８，２８ａ、糊代部展圧機２９は図示しない支持機構にて第２の搬送部２２の上方に支持されている。また上記第１・第２の跳ね上げ部保持機２８，２８ａは、長さ方向に一体状にしてもよい。
【００４５】
この実施例における作用を以下に説明する。
【００４６】
第１・第２の枚葉紙３ａ，３ｂは、給紙機１からそれぞれ１枚ずつ同時に貼り合わせ搬送装置２０へ向けて給紙される。このとき、第１ストッパ４が出没作動して各枚葉紙３ａ，３ｂは先端が揃えられてから平行に給紙される。
【００４７】
そして手前側の第１の枚葉紙３ａは、貼り合わせ搬送装置２０の第１の搬送路２１にて、また奥側の第２の枚葉紙３ｂは搬送装置２０の第２の搬送路２２にて、それぞれこの貼り合わせ搬送装置２０の終端部に設けられた第２ストッパ１５に先端が突き当たるまで搬送される。
【００４８】
このとき第１の搬送路２１を搬送される第１の枚葉紙３ａは、この搬送動作に従ってガイド板２３に当接する位置まで内側へ幅寄せされる。このとき枚葉紙３ａの内側端縁は、ガイド板２３の先端に設けたひさしの下側へ入り込み、上側へまくれるのが防止される。そしてこの第１の枚葉紙３ａは、ガイド板２３にガイドされて下流側へ第２の搬送路２１と平行に搬送される。
【００４９】
この第１の搬送路２１を搬送される第１の枚葉紙３ａは、この第１の搬送路２１の上流部に設けられた糊塗布装置１６にて、これの内側縁である糊代部に糊１６ａが線条に塗布される。
【００５０】
一方、第２の搬送路２２を搬送される第２の枚葉紙３ｂは、この第２の搬送路２２を搬送される間に、これの内側端縁が跳ね上げ機２７のへら部材３０にて跳ね上げられながら搬送される。このとき、この部分の外側の上面が押さえ部材３１にて押さえられるので、この内側端縁は上記へら部材３０にて跳ね上げられる。
【００５１】
そしてこの状態の第２の枚葉紙３ｂは、貼り合わせ搬送装置２０の中流部へ搬送されることにより、これの上記跳ね上がり部が第１の跳ね上げ部保持機２８のガイド３２ａ，３２ｂ内にガイドされて、この跳ね上がり状態が維持されて搬送される。さらに、下流部へ搬送される間においても、この跳ね上がり部が第２の跳ね上げ部保持機２８ａにて跳ね上がり状態が維持され、この状態で第２ストッパ１５に突き当たって停止される。
【００５２】
このときにおいて、第１・第２の搬送路２１，２２は同期して搬送動作をしているので、両搬送路２１，２２を搬送される第１・第２の枚葉紙３ａ，３ｂは、略同時に第２ストッパ１５に突き当たって位置決めされる。そしてこのように両枚葉紙３ａ，３ｂが位置決めされて先端が揃った状態で糊代部展圧機２９が作動して、図４（ａ）に示す位置から図４（ｂ）に示す位置、すなわち第２の跳ね上げ部保持機２８ａの下側を斜め上方から第２の枚葉紙３ｂの内側端である糊代部を押圧する位置まで移動し、これの移動により第２の跳ね上げ部保持機２８ａにて跳ね上がり状態になっている枚葉紙３ｂの内側縁が内側方向へ展開されて、この部分がコロ３３にて第１の枚葉紙３ａの糊代部に展圧される。このときのコロ３３による展圧は仮付け状態であり、第２ストッパ１５が没入して両枚葉紙３ａ，３ｂが貼り合わせ搬送装置２０から中間搬送路１７に搬送される間に、この糊代部がプレスローラ装置１８にて押圧されて接着される。
【００５３】
上記したようにこの実施例にあっては、給紙機１から給紙される第１・第２の一方の枚葉紙３ａは、貼り合わせ搬送装置２の一方の搬送路２１を搬送される間に、他方の搬送路２２側へ幅寄せされる。そして第２の搬送路２２を搬送される第２の枚葉紙３ｂの内側端縁（糊代分）が、この他方の搬送路２２を搬送される間において、跳ね上げ機２７にて跳ね上げられて、この部分が一方の枚葉紙３ａの内側端部と上下方向に離隔され、両枚葉紙３ａ，３ｂの内側端部は重複可能状態に対向される。
【００５４】
これらの実施例においての第１・第２の枚葉紙３ａ，３ｂのそれぞれの内側端部（糊代分）の重複及び重複可能状態への重なり作用は、それぞれの枚葉紙３ａ，３ｂが搬送装置２，２０を搬送される間、すなわち各搬送路５，６，２１，２２を搬送される各枚葉紙３ａ，３ｂの搬送動作に従って行われる。
【００５５】
なお上記した実施例では、第２の枚葉紙３ｂの内側端部を跳ね上げる跳ね上げ機２７を、図３に示すように枚葉紙３ｂの内側端部を跳ね上げるへら部材３０と、この部分の外側の上面を押さえる押さえ部材３１とで構成したが、この跳ね上げ機構２７を第１の跳ね上げ部保持機２８の上流部にこれと一体状に設けてもよい。
【００５６】
図５、図６はその一例を示すもので、第１の跳ね上げ部保持機２８′を構成する２本のガイドのうちの内側に位置するガイド３２′ａの先端を斜め下方へスロープ状に、かつこれの先端が枚葉紙３ｂの搬送面より低くなるように湾曲してへら部材３０′とする。また外側に位置するガイド３２′ｂの先端を、下面が搬送面よりわずかに高くした位置となるように下方へ湾曲して押さえ部材３１′とする。そしてこの両部材３０′，３１′にて跳ね上げ機２７′を構成する。
【００５７】
この構成によれば、第２の搬送路２２を搬送される第２の枚葉紙３ｂは、跳ね上げ機２７′のへら部材３０′にて跳ね上げられる。このときのこの部分の外側が押さえ部材３１′にて押さえられ、枚葉紙３ｂの内側端部は跳ね上げられた状態で第１の跳ね上げ部保持機２８′にて跳ね上げ状態を維持した状態で搬送される。
【００５８】
このときにおいて、跳ね上げ部保持機２８′の内側のガイド３２′ａの高さを図６に示すように、外側のガイド３２′ｂより高くして、これの段差を大きくすることにより、この跳ね上げ端部の跳ね上げ姿勢を直立状に近づけることができる。
【００５９】
またこの実施例において、上流側の跳ね上げ部保持機２８，２８′の外側のガイド３２ｂ，３２′ｂの高さを、搬送される枚葉紙３ｂの上面に近づく高さにして、このガイド３２ｂ，３２′ｂにて搬送される枚葉紙３ｂの上面を案内するようにしてもよい。
【００６０】
上記参考例及び実施例において、各搬送装置２，２０にて搬送される間に貼り合わされた２枚幅の枚葉紙３は、中間搬送路１７にてこれに設けられたプレスローラ装置１８にて糊代部を押圧されながら搬送され、これの下流側に設けられた製袋機等の枚葉紙加工装置に１枚ずつ送給される。
【００６１】
このときにおいて、上記中間搬送路１７から送給された枚葉紙を、その一部を重ねて連続的に給紙するようにしたストリームフィーダ方式にて、上側の枚葉紙から順に枚葉紙加工装置へ給紙する場合がある。この場合、中間搬送路１７にて送給される枚葉紙は逆ラップ状に、すなわち後続の枚葉紙が先行の枚葉紙の下側に順次入り込ませて「うろこ状」に一部重ねて送給する必要がある。図７は、この中間搬送路１７から送給された枚葉紙を逆ラップ状に搬送する逆ラップ搬送装置３４を概略的に示す説明図である。
【００６２】
図７にて示した逆ラップ搬送装置３４は、中間搬送装置１７の搬送速度より遅くなっていて、これの搬送方向上流部に跳ね上げ回転カム３５が設けてあり、逆ラップ搬送装置３４に搬送されてきた枚葉紙３の後端側を跳ね上げるタイミングで回転するようになっている。図中３６は、逆ラップ搬送装置３４上の枚葉紙を押さえる押さえロールである。
【００６３】
しかして中間搬送路１７にて搬送されてきた枚葉紙３は、逆ラップ搬送装置３４にて減速されると共に、これの後端部が跳ね上げ回転カム３５にて跳ね上げられることにより、この逆ラップ搬送装置３４において、後続の枚葉紙３の先端が前行の枚葉紙３の後端部の下側に入り込み、この枚葉紙３は順次逆ラップのうろこ状になって逆ラップ搬送装置３４上を搬送される。なお、この逆ラップ搬送装置３４は、貼り合わせ搬送装置２，２０に連続する下流側に設けてもよい。
【図面の簡単な説明】
【００６４】
【図１】本発明の参考例を示す平面図である。
【図２】本発明の参考例を示す正面図である。
【図３】本発明の実施例を示す斜視図である。
【図４】（ａ），（ｂ）は実施例における跳ね上げ部保持機構部の構成及び作用を説明する断面図である。
【図５】実施例における跳ね上げ機構の他例を示す斜視図である。
【図６】図５のＡ矢視図である。
【図７】逆ラップ搬送装置を示す説明図である。
【符号の説明】
【００６５】
１…給紙機、２，２０…貼り合わせ搬送装置、３，３ａ，３ｂ…枚葉紙、４，１５…第１・第２のストッパ、５，６，２１，２２…第１・第２の搬送路、５ａ…第１水平送り部、５ｂ…下降送り部、５ｃ…第２水平送り部、５ｄ…上昇送り部、５ｅ…第３水平送り部、７，２４…搬送ベルト、７ａ，２５…送りコロ、８，１４，２３…ガイド板、１０…押さえ案内機、１１…機枠、１２…球、１６…糊塗布装置、１６ａ…糊、１７…中間搬送路、１８…プレスロール装置、２７，２７′…跳ね上げ機、２８，２８′，２８ａ…跳ね上げ部保持機、２９…糊代部展圧機、３０，３０′へら部材、３１，３１′…押さえ部材、３２ａ，３２′ａ，３２ｂ…ガイド、３３…コロ、３４…逆ラップ搬送装置、３５…跳ね上げ回転カム、３６…押さえロール。
【図１】
0004846440.tif 000002
【図２】
0004846440.tif 000003
【図３】
0004846440.tif 000004
【図４】
0004846440.tif 000005
【図５】
0004846440.tif 000006
【図６】
0004846440.tif 000007
【図７】
0004846440.tif 000008